(57)【要約】【課題】  取付部材を被取付部材に装着してナット締結により固定させるに際し、仮固定専用のスタッドボルトを必要とすることなく、取付部材を被取付部材に簡便に仮固定できるようにし、取付部材の位置決め及びナット締結による固定をスムーズに行えるようにすることで、組付け作業性の向上を図る。【解決手段】  樹脂からなる取付部材１０を、該取付部材１０に穿設されたボルト取付孔１３を被取付部材Ｔに固設されたスタッドボルトＳに挿通させて被取付部材Ｔに装着し、ナットを締結させることにより被取付部材Ｔに固定して取付ける構造におけるナット締結前状態の取付部材１０を被取付部材Ｔに仮固定状態に保持する仮固定構造であって、取付部材１０のボルト取付孔１３をスタッドボルトＳに挿通して被取付部材Ｔに装着するに際して該スタッドボルトＳに係合する係止爪３１からなる係止部材３０を、取付部材１０に直接設けている。【選択図】        図２
2005331068.tif 000002
【特許請求の範囲】
【請求項１】
樹脂からなる取付部材を、該取付部材に穿設されたボルト取付孔を被取付部材に固設されたスタッドボルトに挿通させて被取付部材に装着し、該スタッドボルトにナットを締結させることにより取付部材を被取付部材に固定して取付ける構造におけるナット締結前状態の取付部材を被取付部材に仮固定状態に保持する仮固定構造であって、
前記取付部材のボルト取付孔を前記スタッドボルトに挿通して被取付部材に装着するに際して該スタッドボルトに係合する係止爪からなる係止手段を、前記取付部材に直接設けるか又は取付部材と取付け方向に対して一体的とされた部材に設けられたことを特徴とする取付部材の仮固定構造。
【請求項２】
請求項１に記載の取付部材の仮固定構造であって、
前記取付部材のボルト取付孔には円筒状のカラーが嵌合装着されており、ナットの締付けを規制することを特徴とする取付部材の仮固定構造。
【請求項３】
請求項１又は請求項２に記載の取付部材の仮固定構造であって、
前記係止手段の係止爪は前記樹脂からなる取付部材に直接設けられて構成されており、
ナット締結する際の締付力により易圧潰する構成とされていることを特徴とする取付部材の仮固定構造。
【請求項４】
請求項２又は請求項３に記載の取付部材の仮固定構造であって、
前記取付部材のボルト取付孔に装着されたカラーの内筒径は、前記スタッドボルトの径より広径に形成されていることを特徴とする取付部材の仮固定構造。
【請求項５】
請求項１又は請求項２に記載の取付部材の仮固定構造であって、
前記係止手段の係止爪は前記樹脂からなる取付部材に直接設けられて構成されており、
該取付部材の取付け方向の厚み幅の範囲内に構成されていることを特徴とする取付部材の仮固定構造。
【請求項６】
請求項５に記載の取付部材の仮固定構造であって、
前記係止手段の係止爪は前記取付部材のボルト取付孔に嵌合装着されたカラーの周方向の一部が切り欠かれて形成された切欠き部に係合して配置されていることを特徴とする取付部材の仮固定構造。
【請求項７】
請求項１又は請求項２に記載の取付部材の仮固定構造であって、
前記係止手段は取付部材と取付け方向に対して一体的とされた部材である弾性金属薄板に構成されており、該弾性金属薄板は前記取付部材に弾性的に掛着される掛着部を有して構成されていることを特徴とする取付部材の仮固定構造。
【請求項８】
請求項１から請求項７のいずれかに記載の取付部材の仮固定構造であって、
前記係止手段の係止爪は、複数配されていることを特徴とする取付部材の仮固定構造。
【発明の詳細な説明】
【技術分野】
【０００１】
本発明は、取付部材の仮固定構造に関する。詳しくは、スタッドボルトが固設された被取付部材に取付部材を装着してナット締結により固定するに際し、ナット締結の前状態において取付部材を被取付部材に対して仮固定状態に保持することのできる取付部材の仮固定構造に関する。
【背景技術】
【０００２】
従来、例えば、自動車のボデーに対して部品組付けを行う場合には、取付部材としての取付部品の所定箇所に穿設されたボルト取付孔をボデー本体に固設されたスタッドボルトに挿通し、その後にナット締結することにより固定して組付けを行っていた。詳しくは、ボデー本体には取付部品を仮固定するためのスタッドボルトが幾らか固設されており、組付け作業を行う場合には、先ず、この仮固定専用のスタッドボルトに取付部品の所定箇所をナット締結により固定させて、取付部品を仮固定状態とする。そして、この状態で、本固定用のスタッドボルトに取付部品をナット締結することにより固定（本固定）して組付けるようにしていた。
このような組付け作業時の仮固定は、取付部品を下方から組付ける場合にのみならず、側方や上方からの組付けに対しても必要とされることがあった。すなわち、例えば、取付部品の形状が大きい場合において、被取付部材（ボデー本体など）に対して側方や上方からの組付けを行うと、取付部品のボルト取付孔が取付けるべき位置に安定しないことがあるためである。つまり、取付部品の重心位置などによって、スタッドボルトに挿通状態のボルト取付孔が浮動するなどして抜け外れることがあるため、これを抑止することが必要となる。
なお、この種の関連技術として、例えば、後記特許文献１に示されるものがある。
【０００３】
【特許文献１】特開２００２−１４７４２６号公報
【発明の開示】
【発明が解決しようとする課題】
【０００４】
しかしながら、上述した従来の技術では、取付部材としての取付部品を仮固定するためのスタッドボルトは、専ら仮固定用にのみ使用され、組付け後には不用のものとなる。したがって、近年のボデー本体には、このような仮固定用のスタッドボルトが配備されないような構造になっているものも多い。
このような場合、例えば、取付部品の組付けを仮固定することなしに行おうとすると、作業者は一方の手で取付部品をボデー本体に装着した（当て交った）状態で、他方の手でナット締結を行わなければならない。すると、前述したように、取付部品を取付位置に安定させることが難しくなり、作業性を悪化させることとなる。また、作業者が一手に担うべき作業負担量が増大することも併せて、注意力が散漫になったりして作業に支障を来たすことにもなる。そして、取付部品の形状が大きい場合には、作業性が益々悪化し、作業を迅速に行うことが困難となる。しかしながら、作業者を増員させて作業性の向上を図ることは、効率的に好ましいものとは言い難い。
また、例えば、取付部品を取付位置に保持するような治具を用いて作業を行うことは、係る設備を大掛かりなものにするばかりでなく、治具費が嵩むといった不具合を生じるものとなる。更に、治具を用いて作業を行うこと自体も作業工程を余計に増大させることになる。
【０００５】
本発明は、上記した問題を解決するものとして創案されたものであって、本発明が解決しようとする課題は、取付部材を被取付部材に装着してナット締結により固定させるに際し、仮固定専用のスタッドボルトを必要とすることなく、取付部材を被取付部材に簡便に仮固定できるようにし、取付部材の位置決め及びナット締結による固定をスムーズに行えるようにすることで、組付け作業性の向上を図ることにある。
【課題を解決するための手段】
【０００６】
上記課題を解決するために、本発明の取付部材の仮固定構造は次の手段をとる。
先ず、本発明の第１の発明は、樹脂からなる取付部材を、該取付部材に穿設されたボルト取付孔を被取付部材に固設されたスタッドボルトに挿通させて被取付部材に装着し、該スタッドボルトにナットを締結させることにより取付部材を被取付部材に固定して取付ける構造におけるナット締結前状態の取付部材を被取付部材に仮固定状態に保持する仮固定構造であって、取付部材のボルト取付孔をスタッドボルトに挿通して被取付部材に装着するに際して該スタッドボルトに係合する係止爪からなる係止手段を、取付部材に直接設けるか又は取付部材と取付け方向に対して一体的とされた部材に設けられたものである。
【０００７】
この第１の発明によれば、取付部材に穿設されたボルト取付孔を、被取付部材に固設されたスタッドボルトに挿通して取付部材を被取付部材に装着すると、係止手段の係止爪がスタッドボルトに係合する。この係止手段は、取付部材に直接設けられるか又は取付部材と取付け方向に対して一体的とされた部材に設けられる。したがって、ナット締結前状態の取付部材は、この係止爪の係合により被取付部材に仮固定された状態で保持される。
【０００８】
次に、本発明の第２の発明は、上述した第１の発明において、取付部材のボルト取付孔には円筒状のカラーが嵌合装着されており、ナットの締付けを規制するものである。
この第２の発明によれば、取付部材のボルト取付孔には円筒状のカラーが嵌合装着されている。したがって、取付部材が被取付部材に仮固定された状態でナット締結すると、このナットの締付けはカラーによって規制されることになる。
【０００９】
次に、本発明の第３の発明は、上述した第１又は第２の発明において、係止手段の係止爪は樹脂からなる取付部材に直接設けられて構成されており、ナット締結する際の締付力により易圧潰する構成とされているものである。
この第３の発明によれば、仮固定状態の取付部材をナット締結すると、係止手段の係止爪は、このナットの締付力によって容易に圧潰する。
【００１０】
次に、本発明の第４の発明は、上述した第２又は第３の発明において、取付部材のボルト取付孔に装着されたカラーの内筒径は、スタッドボルトの径より広径に形成されているものである。
この第４の発明によれば、取付部材のボルト取付孔に装着されたカラーの円筒内部とスタッドボルトの軸部との間に隙間が形成される。したがって、仮固定状態の取付部材をナット締結する際に、圧潰された係止爪の潰片は、ナットの締結方向に押送されてこの隙間に押込まれるなどする。これにより、ナットと取付部材との間に係止爪の潰片が残存し難くなる。
【００１１】
次に、本発明の第５の発明は、上述した第１又は第２の発明において、係止手段の係止爪は樹脂からなる取付部材に直接設けられて構成されており、該取付部材の取付け方向の厚み幅の範囲内に構成されているものである。
ここで、係止手段の係止爪が取付部材の取付け方向の厚み幅の範囲内に構成されている場合としては、例えば、取付部材に穿設されたボルト取付孔の内部に係止爪が構成されている場合が挙げられる。
この第５の発明によれば、係止手段の係止爪は取付部材の取付け方向の厚み幅の範囲内に設けられているため、仮固定状態の取付部材をナット締結するに際し、係止爪がナットの締結進路に現れない。すなわち、係止爪によって、ナットの締結進路が阻害されることはない。
【００１２】
次に、本発明の第６の発明は、上述した第５の発明において、係止手段の係止爪は取付部材のボルト取付孔に嵌合装着されたカラーの周方向の一部が切り欠かれて形成された切欠き部に係合して配置されているものである。
この第６の発明によれば、ボルト取付孔に嵌合装着されるカラーには、周方向の一部が切り欠かれて形成されており、この切欠き部に係止手段の係止爪が係合するように配置される。したがって、カラーをボルト取付孔に嵌合装着する際には、切欠き部を係止爪の位置となるように嵌合装着することにより、カラーの位置決め（回転止め）がなされる。また、切欠き部が、カラー装着時の正規位置を示すマーカーとして作用する。
【００１３】
次に、本発明の第７の発明は、上述した第１又は第２の発明において、係止手段は取付部材と取付け方向に対して一体的とされた部材である弾性金属薄板に構成されており、該弾性金属薄板は取付部材に弾性的に掛着される掛着部を有して構成されているものである。
この第７の発明によれば、係止手段は取付部材と取付け方向に対して一体的とされた部材である弾性金属薄板に構成されている。詳しくは、この係止手段は、取付部材に対して弾性的に掛着される掛着部を有しており、この掛着部を取付部材に掛着することで取付け方向に対して一体的となる。
【００１４】
次に、本発明の第８の発明は、上述した第１から第７のいずれかの発明において、係止手段の係止爪は複数配されているものである。
この第８の発明によれば、複数の係止爪によって、取付部材を被取付部材に仮固定した状態を保持する。
【発明の効果】
【００１５】
本発明は上述した手段をとることにより、次の効果を得ることができる。
先ず、本発明の第１の発明によれば、取付部材に穿設されたボルト取付孔を被取付部材に固設されたスタッドボルトに挿通するのみで、取付部材を被取付部材に仮固定した状態にすることができる。したがって、従来の如く被取付部材側に仮固定専用のスタッドボルトを予め配備しておく必要がなく、本固定用のスタッドボルトに対して、取付部材を直接仮固定することができる。また、一旦仮固定した箇所（取付部材のボルト取付孔）はスタッドボルトから抜け外れることがないため、取付部材の位置決めを容易に行うことができ、取付部材を本固定するまでの作業が簡単に行える。すなわち、組付け作業性が向上する。
【００１６】
次に、本発明の第２の発明によれば、被取付部材に仮固定状態の取付部材をナット締結を行うに際し、ナットの締付け規制を行うことができる。したがって、仮固定状態の取付部材を適度な締付力によって被取付部材に固定することができる。
次に、本発明の第３の発明によれば、仮固定用の係止爪を、ナット締結時の締付力によって容易に圧潰することができるため、ナット締結がスムーズに行える。
次に、本発明の第４の発明によれば、ナット締結時に圧潰された係止爪の潰片によってナット締結が阻害されることがなくなる。したがって、ナット締結が確実に行える。
次に、本発明の第５の発明によれば、仮固定状態の取付部材をナット締結するに際し、係止手段の係止爪がナット締結を阻害することがない。したがって、ナット締結を終始スムーズ、かつ、確実に行うことができる。
次に、本発明の第６の発明によれば、カラーをボルト取付孔に嵌合装着した状態での位置決めを行うことができ、更に、装着位置が視認し易くなり装着が容易に行える。
次に、本発明の第７の発明によれば、取付部材に係止手段の掛着部を簡便に掛着することができる。
次に、本発明の第８の発明によれば、取付部材の仮固定状態を安定的に保持することができる。
【発明を実施するための最良の形態】
【００１７】
以下に、本発明を実施するための最良の形態の実施例について、図面を用いて説明する。
【実施例１】
【００１８】
始めに、本発明の実施例１の取付部材１０の仮固定構造について、図１〜図４に基づいて説明する。図１は取付部材１０の仮固定構造を示す斜視図、図２は取付部材１０を被取付部材Ｔに取付ける前状態を示す図、図３は取付部材１０を被取付部材Ｔに仮固定させた状態を示す図、図４は図３の取付部材１０をナット締結した状態を示す図である。なお、図１は、図２〜図４とは表裏が逆の状態で図示されている。
本実施例の取付部材１０の仮固定構造は、所定の物品を被取付部材Ｔに固定して組付けるためにこの所定の物品の一部を構成する取付部材１０を、スタッドボルトＳが固設された被取付部材Ｔに装着してナットＮの締結により固定するに際し、ナット締結を行う前状態において、取付部材１０を被取付部材Ｔに仮固定させた状態で保持する構成を備えている。
なお、本実施例では、取付部材１０を被取付部材Ｔに対して上方向に取付ける（仮固定する）場合について説明する。このような実施対象として、例えば、自動車のボデー（被取付部材Ｔ）に対して部品組付けを行う場合などが挙げられる。
【００１９】
次に、本実施例の取付部材１０の仮固定構造について、具体的な構成を説明する。
先ず、図１及び図２に良く示されるように、取付部材１０は、合成樹脂をやや厚肉に成形したものであり、この厚み方向には被取付部材Ｔに固設されたスタッドボルトＳの軸部Ａ（図２参照）に対して挿通可能なボルト取付孔１３が穿設されている。ここで、ボルト取付孔１３は、ナット締結時の締付け規制するためのカラー２０を嵌合装着可能な形状になっている。詳しくは、カラー２０は、一方側に鍔２１を有する円筒状をなして取付部材１０の肉厚と略同じ長さに形成されている。更に、カラー２０（円筒状）の内筒径は、スタッドボルトＳの軸部Ａよりもやや広径に形成されている。また、これに伴って、取付部材１０の裏面１２側には、この鍔２１を受けるための鍔受面１４が形成されている。
したがって、取付部材１０の裏面１２側からカラー２０を埋込むようにして嵌合装着すると、カラー２０の他方側が取付部材１０の表面１１と略面一となり、ナット締結時にナットＮが取付部材１０に食込まないような位置規制が行える。また、ボルト取付孔１３をスタッドボルトＳに挿通した状態（図３参照）では、カラー２０とスタッドボルトＳの軸部Ａとの間に隙間Ｃが形成される。
【００２０】
次に、取付部材１０の表面１１側におけるボルト取付孔１３の周縁近傍には、ボルト取付孔１３の中心に向かう立上がり状の係止爪３１を対向する２箇所に有する係止部材３０が形設されている。ここで、係止部材３０が本発明の係止手段に相当する。この係止部材３０は、取付部材１０に直接設けられ（一体的に成形され）ており、薄板状の係止爪３１が取付部材１０の表面１１から図２に示す紙面下方向に先端に向かって互いの離間寸法を狭めるように延出している。また、２つの係止爪３１の先端の離間寸法は、スタッドボルトＳの軸部Ａの外径よりもやや小さく設定されている。したがって、係止爪３１がこのように形成されているので、図３に良く示されるように、取付部材１０に穿設されたボルト取付孔１３をスタッドボルトＳに挿通するように軽く力を作用させると、２つの係止爪３１は、スタッドボルトＳのねじ山の外径部位を通る際には外方向に弾性変形する。また、谷径部位に差掛かると、先の状態から弾性的に引戻されて外径部位よりも内方向位置に弾性変形する。そして、この状態で取付部材１０を支える手を離すと、係止爪３１がスタッドボルトＳのねじ山に係合して、取付部材１０がスタッドボルトＳ（被取付部材Ｔ）に対して係止した状態で保持される。すなわち、スタッドボルトＳに係合する係止爪３１の係止力によって、この係止部材３０と一体をなす取付部材１０も係止状態（仮固定状態）となる。したがって、取付部材１０は、ボルト取付孔１３をスタッドボルトＳに挿通するのみで、被取付部材Ｔに仮固定された状態で保持される。
【００２１】
ところで、係止爪３１は、上述したように、樹脂からなる取付部材１０に対して図２に示す紙面下方向に先端に向かって互いの離間寸法を狭めるように延出した形状に一体成形され、かつ、薄板状に形成されている。したがって、図３及び図４に示されるように、仮固定状態の取付部材１０を固定（本固定）するためにナット締結を行うと、このナット締結する際の締付力によって係止爪３１は容易に圧潰される。また、圧潰された係止爪３１の潰片３２は、ナットＮの締付力によってカラー２０の位置まで到達した後には、前述したカラー２０の円筒内部とスタッドボルトＳの軸部Ａとの間に形成された隙間Ｃに押込まれるなどする。
【００２２】
以上のように本実施例の取付部材１０の仮固定構造が構成されている。続いて、取付部材１０の仮固定構造の使用方法について、図２〜図４に基づいて説明する。
先ず、図２に示されるように、取付部材１０に穿設されたボルト取付孔１３にカラー２０を嵌合装着した状態で、ボルト取付孔１３をスタッドボルトＳに挿通する。詳しくは、取付部材１０の裏面１２側からカラー２０の円筒（中空）内部にスタッドボルトＳを挿通させるようにする。すると、図３に示されるように、この挿通に伴って係止部材３０（係止爪３１）がスタッドボルトＳに係合するため、取付部材１０が被取付部材Ｔに仮固定された状態で保持される。なお、被取付部材Ｔに組付ける所定の物品の形状が大きい場合などで、取付部材１０が複数設けられている場合には、上述したようにしてそれぞれのスタッドボルトＳに取付部材１０を仮固定すればよい。
次に、取付部材１０が仮固定された状態のスタッドボルトＳにナットＮを螺合する。この際、ナット締結の終端位置近傍において、ナットＮと係止爪３１とが当接状態となるが、そのままナットＮを締付けるようにすれば、係止爪３１はこの締付力によって容易に圧潰される。そして、図４に良く示されるように、圧潰された係止爪３１の潰片３２は、前述したようにカラー２０の円筒内部とスタッドボルトＳの軸部Ａとの間に形成された隙間Ｃに押込まれるなどするため、ナットＮをカラー２０の位置まで締付けることができる。以上のようにして、取付部材１０を被取付部材Ｔに固定（本固定）すればよい。
【００２３】
このように、本実施例の取付部材１０の仮固定構造は、被取付部材Ｔに固設されたスタッドボルトＳ（本固定用）に取付部材１０のボルト取付孔１３を挿通するのみで、取付部材１０を被取付部材Ｔに仮固定した状態に保持することができる。したがって、例えば、被取付部材Ｔに仮固定専用のスタッドボルトが配備されていないような場合でも、本固定用のスタッドボルトＳに直接仮固定することができる。また、一旦仮固定した箇所（取付部材１０のボルト取付孔１３）は、係止爪３１によって係止されスタッドボルトＳから抜け外れることがないため、作業者が取付部材１０を支持しておく必要がない。したがって、ナット締結などの他の作業を両手を用いて行うことができ、作業性が向上する。また、例えば、被取付部材Ｔに組付ける所定の物品の形状が大きい場合などで、取付部材１０が複数設けられている場合であっても、取付部材１０の位置決めを容易に行うことができ、組付け作業性も向上する。
また、取付部材１０の仮固定後も、ナット締結による締付力によって、係止爪３１を易圧潰させることができる。したがって、ナット締結がスムーズに行える。更に、圧潰した係止爪３１の潰片３２は、カラー２０の円筒（中空）内部とスタッドボルトＳの軸部Ａとの隙間Ｃに押込むことができるため、ナット締結が阻害されることなく確実に行える。
更に、係止部材３０は、係止爪３１を２箇所（複数箇所）に設けて取付部材１０を仮固定しているため、仮固定を安定的に行うことができる。
【実施例２】
【００２４】
続いて、本発明の実施例２の取付部材４０の仮固定構造について、図５〜図８に基づいて説明する。図５は取付部材４０の仮固定構造を示す斜視図、図６は取付部材４０を被取付部材Ｔに取付ける前状態を示す図、図７は取付部材４０を被取付部材Ｔに仮固定させた状態を示す図、図８は図７の取付部材４０をナット締結した状態を示す図である。なお、図５は、図６〜図８とは表裏が逆の状態で図示されている。
また、本実施例においては、実施例１の取付部材４０の仮固定構造と同様の構成及び作用を奏する箇所についての説明は省略し、相異する箇所について詳しく説明することにする。
【００２５】
次に、本実施例の取付部材４０の仮固定構造について、具体的な構成を説明する。
先ず、図５及び図６に良く示されるように、ボルト取付孔４３に嵌合装着されるカラー５０は、周方向の一部が切り欠かれた切欠き部４５が対向する２箇所に形成されている。また、カラー５０の鍔５１側には、カラー５０を取付部材４０に嵌合装着する際の位置決めとなる凸部５２が形成されている。また、取付部材４０には、この凸部５２に対応する凹部４６が形成されている。
次に、ボルト取付孔４３の内部の表面４１側には、ボルト取付孔４３の中心に向かう立上がり状の係止爪６１を対向する２箇所に有する係止部材６０が形設されている。なお、係止部材６０が本発明の係止手段に相当する。この係止部材６０は、取付部材４０に直接設けられ（一体的に成形され）ており、薄板状の係止爪６１がボルト取付孔４３の内部において、図６に示す紙面下方向に先端に向かって互いの離間寸法を狭めるように延出するような構成となっている。このようなボルト取付孔４３に対して、カラー５０を嵌合装着する際には、カラー５０の凸部５２をボルト取付孔４３の凹部４６に合わせるようにすれば、切欠き部４５が係止爪６１にそれぞれ係合する位置とされるため、容易に装着することができる。また、これにより、カラー５０は、切欠き部４５が係止爪６１に係合されて、装着状態の位置決め（回転止め）がなされる。
また、２つの係止爪６１の先端の離間寸法は、スタッドボルトＳの軸部Ａの外径よりもやや小さく設定されている。この係止爪６１によって、取付部材４０がスタッドボルトＳから抜き外れることのないように保持している。よって、取付部材４０を被取付部材Ｔに装着する（ボルト取付孔４３をスタッドボルトＳに挿通する）のみで、被取付部材Ｔに仮固定された状態で保持される。
【００２６】
ところで、係止爪６１は、上述したように、ボルト取付孔４３の内部に形設されており、図７及び図８に示されるように、仮固定状態の取付部材４０を固定（本固定）するためにナット締結を行っても、係止爪６１がナットＮの締結進路に現れることはない。すなわち、係止爪６１がナット締結を阻害するということはない。
【００２７】
以上のように本実施例の取付部材４０の仮固定構造が構成されている。続いて、取付部材４０の仮固定構造の使用方法について、図６〜図８に基づいて説明する。
先ず、図６に示されるように、取付部材４０のボルト取付孔４３にカラー５０を嵌合装着した状態で、ボルト取付孔４３（詳しくは、カラー５０の円筒内部）をスタッドボルトＳに挿通する。すると、図７に示されるように、係止部材６０がスタッドボルトＳに係合して、取付部材４０が被取付部材Ｔに仮固定された状態で保持される。
次に、図７及び図８に示されるように、取付部材４０が仮固定された状態のスタッドボルトＳにナットＮを螺合する。この際、ナットＮの締結進路に係止爪６１が現れることがないため、ナット締結が阻害されることなくスムーズに行われ、カラー５０の位置まで締付けることができる。以上のようにして、取付部材４０を被取付部材Ｔに固定（本固定）すればよい。
【００２８】
このように、本実施例の取付部材４０の仮固定構造は、取付部材４０の仮固定後にナット締結するに際し、仮固定用の係止爪６１がボルト取付孔４３の内部に形成されているために、ナットＮの締結進路に現れない。よって、ナットＮの締結が阻害されないので、ナット締結が終始スムーズに行える。
また、カラー５０の周方向の一部が切り欠かれており、その部位（切欠き部４５）に係止爪６１が係合するように配置されている。したがって、カラー５０をボルト取付孔４３に嵌合装着する際には、切欠き部４５を係止爪６１の位置となるように嵌合装着することにより、カラー５０の位置決め（回転止め）を行うことができる。また、特に凸部５２とも併せて、切欠き部４５が、カラー５０の装着時の正規位置を示すマーカーとしても機能するため、装着がし易い。
【実施例３】
【００２９】
続いて、本発明の実施例３の取付部材７０の仮固定構造について、図９〜図１２に基づいて説明する。図９は取付部材７０の仮固定構造を示す斜視図、図１０は取付部材７０を被取付部材Ｔに取付ける前状態を示す図、図１１は取付部材７０を被取付部材Ｔに仮固定させた状態を示す図、図１２は図１１の取付部材７０をナット締結した状態を示す図である。なお、図９は、図１０〜図１２とは表裏が逆の状態で図示されている。
また、本実施例においては、実施例１及び実施例２の取付部材７０の仮固定構造と同様の構成及び作用を奏する箇所についての説明は省略し、相異する箇所について詳しく説明することにする。
【００３０】
次に、本実施例の取付部材７０の仮固定構造について、具体的な構成を説明する。
先ず、図９及び図１０に良く示されるように、取付部材７０のボルト取付孔７３を挟む両側位置には、後述する係止金具８０の掛着部８２を挿込むための細孔７５が形成されている。
【００３１】
次に、取付部材７０を被取付部材Ｔに仮固定するための係止金具８０は、図９に良く示されるように、弾性金属薄板に構成されたものであり、中央に複数の係止爪８１を有し、両側には掛着部８２が形成されている。ここで、係止金具８０が本発明の係止手段に相当する。詳しくは、係止爪８１の先端が形成する円径は、スタッドボルトＳの軸部Ａの外径よりもやや小さく設定されている。また、掛着部８２は、係止金具８０の両端側を直角に屈折させて起立させ、更に、その起立させた先端を外方に向けて屈折させてフック８３を形成している。また、この掛着部８２の離間寸法（直角に屈曲させた間の離間寸法）は、上述した取付部材７０の細孔７５の離間寸法と略同一に設定されている。したがって、このような構成の掛着部８２を取付部材７０に掛着させるには、掛着部８２を細孔７５に向けて押圧してそれぞれの細孔７５に挿込むようにすればよい。すなわち、押圧力を受けた掛着部８２は、細孔７５の離間寸法に合わせるようにして、フック８３の外方への突出寸法分を弾性的に窄めながら細孔７５に挿込まれる。また、フック８３が取付部材７０の表面７１に突出する位置まで挿込まれると、先の拘束状態（窄められた状態）が開放されるため、フック８３が外方に向けて弾性的に広げられて取付部材７０の表面７１に掛着する。これにより、係止金具８０が、取付部材７０の取付け方向に対して一体的とされた状態になる。すなわち、取付部材７０を被取付部材Ｔに対して装着する場合（取付け方向）に対しては、取付部材７０と係止金具８０とが一体的になって動作する。
【００３２】
また、係止爪８１は、ボルト取付孔７３の中央に向かって面一状に（立上がりがなく）形成されており、取付部材７０を取付け方向に押送するように力を付与すれば、スタッドボルトＳに簡単に挿通することができる。そして、一旦係止爪８１がスタッドボルトＳに係合すれば、自重等によって取付部材７０が抜き外れることはない。したがって、取付部材７０は、ボルト取付孔７３をスタッドボルトＳに挿通するのみで、被取付部材Ｔに係止させた状態（仮固定状態）を保持することができる。
ところで、係止爪８１は、上述したように、面一状に（立上がりがなく）形成されているため、図１１等に良く示されるように、仮固定状態の取付部材７０を固定（本固定）するためにナット締結を行っても、係止爪８１がナットＮの締結進路を阻害することはない。
【００３３】
以上のように本実施例の取付部材７０の仮固定構造が構成されている。続いて、取付部材７０の仮固定構造の使用方法について、図１０〜図１２に基づいて説明する。
先ず、図１０に示されるように、取付部材７０に穿設されたボルト取付孔７３にカラー２０を嵌合装着し、細孔７５に係止金具８０の掛着部８２を挿込んだ状態（係止金具８０を取付部材７０に掛着させた状態）で、ボルト取付孔７３（カラー２０の円筒内部）をスタッドボルトＳに挿通する。すると、図１１に示されるように、取付部材７０が被取付部材Ｔに仮固定された状態で保持される。
次に、図１１及び図１２に良く示されるように、取付部材７０が仮固定された状態のスタッドボルトＳにナットＮを螺合する。この際、係止爪８１が面一状に形成されているため、ナット締結が阻害されることなく、カラー２０の位置までスムーズに締付けることができる。以上のようにして、取付部材７０を被取付部材Ｔに固定（本固定）すればよい。
【００３４】
このように、本実施例の取付部材７０の仮固定構造は、取付部材７０を仮固定するための係止金具８０（本発明の係止手段に相当するもの）を、取付部材７０に対して簡便に掛着できる（着脱自在に掛着できる）ような構成となっている。したがって、取付部材７０を仮固定させるために必要な箇所にのみ係止金具８０を利用することができ、また、かかる取付作業も非常に簡単に済む。よって、仮固定にかかる作業性の向上が図れる。
【００３５】
以上、本発明の実施形態を３つの実施例について説明したが、本発明は上記実施例のほか各種の形態で実施できるものである。
例えば、上記１〜３の実施例では、いずれも、所定の物品を被取付部材Ｔに対して上方向に組付けるために、取付部材１０，４０，７０も上方向に取付けるようにし、係止部材３０，６０又は係止金具８０により取付部材１０，４０又は７０が下方向に抜け外れないように仮固定するようにしたものを示したが、例えば、取付部材１０，４０，７０を側方や上方から被取付部材Ｔに固定する場合であっても、同様にして適用することができる。すなわち、所定の物品の形状が大きい場合に、その重心位置などによって、取付部材１０，４０，７０が被取付位置から浮動するなどして抜け外れるということのないように、これを抑止させるようにしてもよい。
【図面の簡単な説明】
【００３６】
【図１】本発明の実施例１における取付部材の仮固定構造を示す斜視図である。
【図２】取付部材を被取付部材に取付ける前状態を示す図である。
【図３】取付部材を被取付部材に仮固定した状態を示す図である。
【図４】図３の取付部材をナット締結した状態を示す図である。
【図５】本発明の実施例２における取付部材の仮固定構造を示す斜視図である。
【図６】取付部材を被取付部材に取付ける前状態を示す図である。
【図７】取付部材を被取付部材に仮固定した状態を示す図である。
【図８】図７の取付部材をナット締結した状態を示す図である。
【図９】本発明の実施例３における取付部材の仮固定構造を示す斜視図である。
【図１０】取付部材を被取付部材に取付ける前状態を示す図である。
【図１１】取付部材を被取付部材に仮固定した状態を示す図である。
【図１２】図１１の取付部材をナット締結した状態を示す図である。
【符号の説明】
【００３７】
１０，４０，７０  取付部材
１１，４１，７１  表面
１２，４２，７２  裏面
１３，４３，７３  ボルト取付孔
１４，４４，７４  鍔受面
２０，５０  カラー
２１，５１  鍔
３０，６０  係止部材（係止手段）
３１，６１，８１  係止爪
３２    潰片
４５    切欠き部
４６    凹部
５２    凸部
７５    細孔
８０    係止金具（係止手段）
８２    掛着部
８３    フック
Ｔ      被取付部材
Ｓ      スタッドボルト
Ａ      軸部
Ｎ      ナット
Ｃ      隙間
【図１】
2005331068.tif 000003
【図２】
2005331068.tif 000004
【図３】
2005331068.tif 000005
【図４】
2005331068.tif 000006
【図５】
2005331068.tif 000007
【図６】
2005331068.tif 000008
【図７】
2005331068.tif 000009
【図８】
2005331068.tif 000010
【図９】
2005331068.tif 000011
【図１０】
2005331068.tif 000012
【図１１】
2005331068.tif 000013
【図１２】
2005331068.tif 000014